(57)【要約】【課題】バーから外れにくい留め具を提供する。【解決手段】第１バーおよび第２バーに取り付けられる留め具において、壁部は、第１バーおよび第２バーの間に介在する。第１保持部は、壁部から延出し、第１バーを保持する。第２保持部は、第１保持部に対して壁部の逆側に位置し、壁部から延出し、第２バーを保持する。スリットは、第１保持部は、第１バーの長手方向に沿う幅を有しており、幅方向に切り欠くように形成される。スリットによって、第１保持部の先端側が第１保持部の幅方向に揺動可能になる【選択図】図２
2020169722.tif 000002
【特許請求の範囲】
【請求項１】
第１バーおよび第２バーに取り付けられる留め具であって、
第１バーおよび第２バーの間に介在する壁部と、
前記壁部から延出し、第１バーを保持する第１保持部と、
前記壁部を挟んで前記第１保持部の逆側に位置し、前記壁部から延出し、第２バーを保持する第２保持部と、を備え、
前記第１保持部は、第１バーの長手方向に沿う幅を有しており、幅方向に切り欠くように形成されたスリットを有し、
前記スリットによって、前記第１保持部の先端側が前記第１保持部の幅方向に揺動可能になることを特徴とする留め具。
【請求項２】
前記第１保持部は、
前記壁部から離れる方向に張り出す張出部と、
前記張出部に連なって前記壁部に対向するように延在する側部と、を有し、
前記スリットは、前記張出部に形成されることを特徴とする請求項１に記載の留め具。
【請求項３】
前記スリットは、前記張出部の幅方向の両縁を切り欠くように一対形成されることを特徴とする請求項２に記載の留め具。
【請求項４】
前記第１保持部および前記第２保持部は、幅方向に直交する方向において互いに逆方向に開口することを特徴とする請求項１から３のいずれかに記載の留め具。
【請求項５】
前記第１保持部の内側に設けられ、第１バーに弾接する弾性片をさらに備えることを特徴とする請求項１から４のいずれかに記載の留め具。
【請求項６】
前記弾性片は、前記壁部から張り出し、
前記弾性片および前記第１保持部の間で前記第１保持部の幅方向に直交し、且つ前記壁部に沿う方向の隙間が形成されることを特徴とする請求項５に記載の留め具。
【請求項７】
前記弾性片は、根元側で幅が狭くなるように形成されることを特徴とする請求項５または６に記載の留め具。
【請求項８】
前記第１保持部の内側に設けられ、第１バーに弾接する弾性片をさらに備え、
前記弾性片は、
前記壁部から張り出す第１弾性片と、
前記側部から張り出す第２弾性片と、を有することを特徴とする請求項２または３に記載の留め具。
【発明の詳細な説明】
【技術分野】
【０００１】
本発明は、バーを保持する留め具に関する。
【背景技術】
【０００２】
特許文献１には、トランクリッドの開閉を補助するための一対のトーションバーの間隔を保つためのクランプが開示されている。このクランプは、平面状スペーサと、平面状スペーサの両面に一対のトーションバーをそれぞれ把持するホールド部とを備える。ホールド部は、トーションバーの径と略同等の内径に形成された湾曲片であり、トーションバーを平面状スペーサとで挟持する。
【先行技術文献】
【特許文献】
【０００３】
【特許文献１】特開２０１５−９６５７号公報
【発明の概要】
【発明が解決しようとする課題】
【０００４】
特許文献１に開示されるクランプは、トーションバーの交差角が大きくなった場合に、トーションバーから外れるおそれがある。
【０００５】
本発明はこのような課題に鑑みてなされたものであり、その目的は、バーから外れにくい留め具を提供することにある。
【課題を解決するための手段】
【０００６】
上記課題を解決するために、本発明のある態様の留め具は、第１バーおよび第２バーに取り付けられる留め具であって、第１バーおよび第２バーの間に介在する壁部と、壁部から延出し、第１バーを保持する第１保持部と、壁部を挟んで第１保持部の逆側に位置し、壁部から延出し、第２バーを保持する第２保持部と、を備える。第１保持部は、第１バーの長手方向に沿う幅を有しており、幅方向に切り欠くように形成されたスリットを有する。スリットによって、第１保持部の先端側が第１保持部の幅方向に揺動可能になる。
【発明の効果】
【０００７】
本発明によれば、バーから外れにくい留め具を提供できる。
【図面の簡単な説明】
【０００８】
【図１】第１バーおよび第２バーに取り付けられた留め具の斜視図である。
【図２】留め具の斜視図である。
【図３】図３（ａ）は、留め具の正面図であり、図３（ｂ）は、留め具の平面図である。
【図４】図３（ａ）に示す留め具の線分Ａ−Ａ断面図である。
【図５】第１バーおよび第２バーに取り付けた状態の留め具の断面図である。
【図６】図６（ａ）は、第１バーおよび第２バーに取り付けた状態の留め具の側面図であり、図６（ｂ）は、図６（ａ）に示す第１バーを壁部に沿って切った留め具の断面図である。
【図７】変形例の留め具の斜視図である。
【図８】図８（ａ）は、変形例の留め具の正面図であり、図８（ｂ）は、変形例の留め具の平面図である。
【発明を実施するための形態】
【０００９】
図１は、第１バー１２および第２バー１４に取り付けられた留め具１０の斜視図である。第１バー１２および第２バー１４は、例えば車両のトランクリッドのヒンジに設けられるトーションバーであって、車両左右方向に沿って一対設けられる。第１バー１２および第２バー１４同士が当たって異音の発生や摩耗が生じないように、留め具１０が取り付けられる。
【００１０】
留め具１０は、第１バー１２および第２バー１４の間に介在する壁部２０、第１バー１２を保持する第１保持部２２、および第２バー１４を保持する第２保持部２４を備える。第２保持部２４は、第１保持部２２に対して壁部２０の逆側に位置する。第１保持部２２および第２保持部２４は、壁部２０を挟んで第１バー１２および第２バー１４をそれぞれ保持する。なお、図１には第２保持部２４が上方に開口するように留め具１０が取り付けられるが、第２保持部２４が下方に開口するように留め具１０が取り付けられてもよい。
【００１１】
第１バー１２および第２バー１４は、交差するように配置され、その交差角にはばらつきがあり得る。また、第１バー１２および第２バー１４がねじれた場合、揺動するように動いて交差角が大きくなることがある。この交差角のばらつきを吸収するために第１保持部２２が設けられている。
【００１２】
図２は、留め具１０の斜視図である。また、図３（ａ）は、留め具１０の正面図であり、図３（ｂ）は、留め具１０の平面図である。留め具１０は、壁部２０、第１保持部２２、第２保持部２４、第１弾性片２６ａ、第２弾性片２６ｂ、スリット２８、リブ３４および突部３６を備える。
【００１３】
壁部２０は、第１バー１２および第２バー１４の軸方向に沿って長手状に形成され、第１保持部２２および第２保持部２４より長い。壁部２０は、図３（ａ）に示すように中央が湾曲して、第１保持部２２および第２保持部２４の中心軸を近づけるように構成されている。
【００１４】
第１保持部２２は、壁部２０の一端から延出し、第２保持部２４は、壁部２０の他端から、第１保持部２２とは逆方向に延出する。第１保持部２２は、壁部２０の長手方向、または第１バー１２の軸方向に沿う方向に幅を有する。これにより、第１保持部２２の剛性を確保し、第１バー１２を安定して保持できる。第１保持部２２は、第２保持部２４と同じ幅であるが、同じ幅でなくてもよい。第１保持部２２と壁部２０は、第１バー１２を挟み込む。第１保持部２２および第２保持部２４は、幅方向において壁部２０の中央位置に設けられ、壁部２０の長手方向において、同じ位置で同じ幅で設けられる。なお、第１保持部２２の幅方向は、壁部２０の長手方向に沿っており、壁部２０の壁面の面直方向に直交する。
【００１５】
第１保持部２２および第２保持部２４は、壁部２０の壁面に沿い、かつ幅方向に直交する方向において互いに逆方向に開口する。図２（ａ）において、第１保持部２２は、図中下方に開口３８を有し、第２保持部２４は、図中上方に開口４０を有する。第１バー１２および第２バー１４が第１保持部２２および第２保持部２４に逆方向から保持されることで、図中上下方向に留め具１０が外れにくくなる。
【００１６】
第１保持部２２は、スリット２８、張出部３０、側部３２、幅狭部３１およびガイド部３３を有する。張出部３０は、壁部２０の壁面から離れる方向に張り出し、壁部２０の壁面から立設する。側部３２は、張出部３０の先端に連なって、壁部２０に対向するように延在し、壁部２０の壁面に沿う方向に延在する。ガイド部３３は、側部３２から折り返すように屈曲し、第１保持部２２の先端に位置し、第１バー１２を挿入する際のガイドとなる。
【００１７】
スリット２８は、図３（ｂ）に示すように第１保持部２２の幅方向に切り欠くように形成される。スリット２８によって、撓みやすい幅狭部３１が形成されて、第１保持部２２の先端側が壁部２０の壁面に沿う方向、または第１保持部２２の幅方向に揺動可能になる。これにより、第１保持部２２が第１バー１２の動きに追従して保持を維持できる。一対のスリット２８は、第１保持部２２の幅方向長さのうち、半分以上を切り欠くように形成される。
【００１８】
スリット２８は、張出部３０に形成される。これにより、幅狭部３１が第１保持部２２の根元側に位置し、根元側を支点として第１保持部２２が揺動しやすくなる。
【００１９】
スリット２８は、張出部３０の幅方向の両縁を切り欠くように一対形成される。幅狭部３１は、幅方向において第１保持部２２の中央に位置する。これにより、第１バー１２の揺動に対して取付方向に関わらず第１保持部２２を追従しやすくできる。つまり、留め具１０の取付方向が限定されないように構成できる。
【００２０】
第２保持部２４は、壁部２０の他端から延出する。第２保持部２４は、半円筒状の内周面を有する。なお、留め具１０では第２保持部２４は、第１保持部２２と異なる形状に形成されるが、この態様にかぎられず、第１保持部２２と同形状であってよい。
【００２１】
リブ３４は、張出部３０から側部３２に渡って第１保持部２２の外面に形成される。リブ３４は、幅狭部３１の外面には設けられない。これにより、第１保持部２２の剛性を確保しつつ、スリット２８によって第１保持部２２が揺動しやすくなるように構成できる。スリット２８は、張出部３０の中間位置に設けられるが、壁部２０の近傍に設けられてよく、張出部３０の先端側、すなわち側部３２の近傍または側部３２に渡って設けられてよい。
【００２２】
突部３６は、図３（ａ）に示すように、壁部２０の両壁面から突出する。突部３６は、挿入された第１バー１２および第２バー１４に引っ掛かって外れないようにできる。
【００２３】
第１弾性片２６ａおよび第２弾性片２６ｂ（これらを区別しない場合、「弾性片２６」という）は、第１保持部２２の内側に設けられ、第１バー１２に弾接する。弾性片２６は、第１バー１２の揺動に応じて揺動するように撓むことで、第１バー１２の外周面に弾接した状態を維持、すなわち第１保持部２２による第１バー１２の保持を維持できる。
【００２４】
図４は、図３（ａ）に示す留め具１０の線分Ａ−Ａ断面図であり、図３（ａ）に示す線分Ａ−Ａの位置で留め具１０を斜め下方から見た斜視図である。第１弾性片２６ａは、壁部２０から張り出し、第１弾性片２６ａと第１保持部２２との間に隙間４２を形成する。第２弾性片２６ｂは、側部３２から張り出し、第２弾性片２６ｂと第１保持部２２との間に隙間４２を形成する。第１保持部２２および弾性片２６は、第１保持部２２の幅方向に直交し、且つ壁部２０に沿う方向に対向して隙間４２を形成する。この隙間４２により、弾性片２６が撓む空間を確保できる。
【００２５】
第１弾性片２６ａは、壁部２０に設けられるため第１保持部２２の揺動の影響を受けずに第１バー１２に弾接できる。第１弾性片２６ａおよび第２弾性片２６ｂが第１バー１２に弾接することで、第１バー１２をバランスよく保持できる。また、第１保持部２２の揺動に応じて第２弾性片２６ｂも動くことで、第１バー１２への追従性を高めることができる。
【００２６】
弾性片２６は、根元４４ａ，４４ｂ側で長手方向に沿って切り欠かれるように形成され、根元４４ａ，４４ｂ側で幅が狭くなるように形成される。これにより、弾性片２６が撓みやすくなって第１バー１２への追従性を高めることができる。
【００２７】
弾性片２６の幅方向長さは、第１保持部２２の幅方向長さと同じである。弾性片２６は、第１保持部２２より薄肉に形成される。これにより、第１保持部２２より弾性片２６を撓みやすくできる。第１弾性片２６ａおよび第２弾性片２６ｂが離れている箇所にスリット２８が位置することで、第１保持部２２および第２弾性片２６ｂが第１バー１２に追従しやすくなる。
【００２８】
弾性片２６は、幅方向の先端に向かって先細になるように形成される。第１弾性片２６ａおよび第２弾性片２６ｂの厚さを異ならせてもよい。例えば、第２弾性片２６ｂが第１弾性片２６ａより厚く形成され、剛性が高くになるように構成されてよい。
【００２９】
図５は、第１バー１２および第２バー１４に取り付けた状態の留め具１０の断面図である。図５では第１バー１２および第２バー１４の少なくとも一方が揺動して第１バー１２および第２バー１４の交差角が図１に示す第１バー１２および第２バー１４の交差角より大きくなっており、第１バー１２の傾きに追従して第１保持部２２が撓んだ状態を示す。第２保持部２４の内周面は、第２バー１４に密着する。これに対し、第１保持部２２は、弾性片２６を弾接させた状態で保持している。そのため、第２保持部２４は、第２バー１４にしっかり固定され、第１保持部２２は、第１バー１２および第２バー１４の交差角の変化を吸収するようになっている。
【００３０】
図６（ａ）は、第１バー１２および第２バー１４に取り付けた状態の留め具１０の側面図であり、図６（ｂ）は、図６（ａ）に示す第１バー１２を軸方向に沿って切った留め具１０の断面図である。
【００３１】
図６（ａ）には、第１バー１２および第２バー１４の交差角が大きくなったときの第１保持部２２の動きを示している。第１バー１２の図中右側の位置が高くなった際、第１保持部２２が連動して右上りに撓み、第１保持部２２の先端がスリット２８の形成位置を支点として第１保持部２２の幅方向に変位する。一方で、第１バー１２の左側の位置が高くなった際は第１保持部２２は左上りに撓む。つまり、第１保持部２２は、第１バー１２の揺動に追従して第１保持部２２の幅方向に撓み、壁部２０の上縁に対して傾く。第１バー１２および第２バー１４の一方が揺動すると他方に逆位相の動きが生じて第１バー１２および第２バー１４の交差角が大きくなるが、第１保持部２２が第１バー１２の動きに追従することで、第１保持部２２および第２保持部２４の保持状態を維持できる。
【００３２】
図６（ｂ）には、第１弾性片２６ａが第１保持部２２の内側で第１バー１２に追従している様子を示す。第１バー１２の図中右側の位置が高くなった際、第１保持部２２の連動だけでなく、第１バー１２に当接する弾性片２６が右上がりに撓む。第１弾性片２６ａと第１保持部２２の間に隙間４２が形成されているため、第１バー１２および第２バー１４の交差角が大きくなっても、第１弾性片２６ａが撓んで第１保持部２２の保持状態を維持できる。
【００３３】
図７は、変形例の留め具１００の斜視図である。図８（ａ）は、変形例の留め具１００の正面図であり、図８（ｂ）は、変形例の留め具１００の平面図である。変形例の留め具１００は、図２（ａ）に示す留め具１０と比べて弾性片１２６の形状が異なり、留め具１０の弾性片２６が一対設けられるのに対し、変形例の留め具１００では弾性片１２６が１つ設けられる。第１保持部２２の形状は同様であり、第１保持部２２にスリット２８が形成されている。
【００３４】
弾性片１２６は、第１保持部２２の内側に設けられ、第１バー１２に弾接する。弾性片１２６は、壁部２０から張り出し、弾性片１２６と第１保持部２２との間に隙間１４２ａを形成する。
【００３５】
弾性片１２６は、第１保持部２２の幅方向に直交し、且つ壁部２０に沿う方向に立設する立設部１２６ａと、立設部１２６ａから屈曲して壁部２０から離れる方向に延在する延在部１２６ｂとを有する。延在部１２６ｂは、壁部２０側からスリット２８を越えて側部３２側に張り出し、第１保持部２２および延在部１２６ｂは、第１保持部２２の幅方向に直交し、且つ壁部２０に沿う方向に対向して隙間１４２ａを形成する。立設部１２６ａは、壁部２０と対向して隙間１４２ｂを形成する。
【００３６】
立設部１２６ａにより、弾性片１２６を壁部２０側に撓みやすくできる。弾性片１２６は、第１保持部２２と独立して撓むため、第１バー１２を押さえつけやすくできる。弾性片１２６は、図４に示す弾性片２６のように、根元側の幅を狭くするように構成してよい。
【００３７】
本発明は上述の実施例に限定されるものではなく、当業者の知識に基づいて各種の設計変更等の変形を実施例に対して加えることも可能であり、そのような変形が加えられた実施例も本発明の範囲に含まれうる。
【符号の説明】
【００３８】
１０  留め具、  １２  第１バー、  １４  第２バー、  ２０  壁部、  ２２  第１保持部、  ２４  第２保持部、  ２６ａ  第１弾性片、  ２６ｂ  第２弾性片、  ２８  スリット、  ３０  張出部、  ３１  幅狭部、  ３２  側部、  ３３  ガイド部、  ３４  リブ、  ３６  突部、  ３８  開口、４０  開口、  ４２  隙間、  ４４ａ，４４ｂ  根元。
【図１】
2020169722.tif 000003
【図２】
2020169722.tif 000004
【図３】
2020169722.tif 000005
【図４】
2020169722.tif 000006
【図５】
2020169722.tif 000007
【図６】
2020169722.tif 000008
【図７】
2020169722.tif 000009
【図８】
2020169722.tif 000010